(57)【要約】【課題】低コストで良好な放熱特性を得ることができる面状光源装置、及び、係る面状光源装置を備え、画像品質に優れた液晶表示装置組立体を提供する。【解決手段】液晶表示装置１０、及び、液晶表示装置１０を背面から照射する面状光源装置６０を備えた液晶表示装置組立体１００であって、面状光源装置６０は、底板５１を備えた筐体５０、底板５１上に配置され、液晶表示装置１０を照射する光源４０、及び、間隔を空けて配置された複数の放熱フィン５３を備えており、各放熱フィン５３は、底板５１の一部が液晶表示装置１０から離れる方向に折り曲げられて形成され、底板５１に対して略垂直に延びる第１のフィン部５３Ａ、及び、第１のフィン部５３Ａの一部が液晶表示装置１０から離れる方向に折り曲げられて形成され、底板５１に対して略平行に延びる第２のフィン部５３Ｂから構成されている。【選択図】  図１
2007322905.tif 000002
【特許請求の範囲】
【請求項１】
（ａ）液晶表示装置、及び、
（ｂ）液晶表示装置を背面から照射する面状光源装置、
を備えた液晶表示装置組立体であって、
面状光源装置は、
（Ａ）底板を備えた筐体、
（Ｂ）底板上に配置され、液晶表示装置を照射する光源、及び、
（Ｃ）間隔を空けて配置された複数の放熱フィン、
を備えており、
各放熱フィンは、
（Ｃ−１）底板の一部が液晶表示装置から離れる方向に折り曲げられて形成され、底板に対して略垂直に延びる第１のフィン部、及び、
（Ｃ−２）第１のフィン部の一部が液晶表示装置から離れる方向に折り曲げられて形成され、底板に対して略平行に延びる第２のフィン部、
から構成されていることを特徴とする液晶表示装置組立体。
【請求項２】
光源は間隔を空けて複数配置されており、各光源は第１のフィン部と底板との境界部分に配置されていることを特徴とする請求項１に記載の液晶表示装置組立体。
【請求項３】
複数の放熱フィンを囲むカバーが底板に対向して配置されており、カバーには通風孔及び送風手段用の開口部が形成されており、該開口部には送風手段が配置されていることを特徴とする請求項１に記載の液晶表示装置組立体。
【請求項４】
液晶表示装置を背面から照射する面状光源装置であって、
面状光源装置は、
（Ａ）底板を備えた筐体、
（Ｂ）底板上に配置され、液晶表示装置を照射する光源、及び、
（Ｃ）間隔を空けて配置された複数の放熱フィン、
を備えており、
各放熱フィンは、
（Ｃ−１）底板の一部が液晶表示装置から離れる方向に折り曲げられて形成され、底板に対して略垂直に延びる第１のフィン部、及び、
（Ｃ−２）第１のフィン部の一部が液晶表示装置から離れる方向に折り曲げられて形成され、底板に対して略平行に延びる第２のフィン部、
から構成されていることを特徴とする面状光源装置。
【請求項５】
光源は間隔を空けて複数配置されており、各光源は第１のフィン部と底板との境界部分に配置されていることを特徴とする請求項４に記載の面状光源装置。
【請求項６】
複数の放熱フィンを囲むカバーが底板に対向して配置されており、カバーには通風孔及び送風手段用の開口部が形成されており、該開口部には送風手段が配置されていることを特徴とする請求項４に記載の面状光源装置。
【発明の詳細な説明】
【技術分野】
【０００１】
本発明は、面状光源装置及び液晶表示装置組立体に関する。
【背景技術】
【０００２】
液晶表示装置にあっては、液晶それ自体は発光しない。従って、例えば、液晶表示装置に対して光を照射する所謂直下型の面状光源装置（バックライト）を液晶表示装置の背面に配置する。そして、各画素を構成する液晶セルを、一種の光シャッター（ライト・バルブ）として動作させることによって、即ち、各画素の光透過率を制御することによって、面状光源装置から射出された光（例えば、白色光）の光透過率を制御し、画像を表示している。液晶表示装置の大型化に従い、面状光源装置（バックライト）も大型化しつつある。
【０００３】
面状光源装置を構成する光源においては、動作上ある程度の発熱を避けることはできない。従って、面状光源装置は動作に伴い温度が上昇する。面状光源装置の放熱（換言すれば、面状光源装置を構成する光源の放熱）が不充分であると、光源の温度が上昇し種々の不具合を招く。例えば、光源として発光ダイオード（ＬＥＤ）を用いた場合には、光源の温度上昇に伴い発光能率が低下する。従って、光源が複数配置された面状光源装置にあっては、面状光源装置の温度分布が不均一になることにより輝度むらや色むらが発生する。面状光源装置の輝度むらや色むらは、液晶表示装置の画像品質を悪化させる。更には、温度が高い状態で光源を動作させることは、光源の劣化を加速させる原因となる。このため、従来より、種々の放熱対策が提案されている。例えば、特開２００６−５９６０７号公報（特許文献１）には、ヒートパイプやヒートシンクが取り付けられた放熱プレート上に光源を配置し、ヒートシンクの放熱作用を促進させる冷却ファンを備えた面状光源装置が開示されている。
【０００４】
【特許文献１】特開２００６−５９６０７号公報
【発明の開示】
【発明が解決しようとする課題】
【０００５】
従来の構造においては、ヒートパイプやヒートシンクは独立した部材として面状光源装置に取り付けられている。これにより、面状光源装置の構造が複雑化し、高コスト要因となっている。
【０００６】
従って、本発明の第１の目的は、低コストで良好な放熱特性を得ることができる面状光源装置を備え、画像品質に優れた液晶表示装置組立体を提供することにある。また、本発明の第２の目的は、低コストで良好な放熱特性を得ることができ、輝度むらや色むらが抑制された面状光源装置を提供することにある。
【課題を解決するための手段】
【０００７】
上記の第１の目的を達成するための本発明の液晶表示装置組立体は、
（ａ）液晶表示装置、及び、
（ｂ）液晶表示装置を背面から照射する面状光源装置、
を備えた液晶表示装置組立体に関する。
【０００８】
上記の第２の目的を達成するための本発明の面状光源装置は、液晶表示装置を背面から照射する面状光源装置に関する。
【０００９】
そして、上記の第１の目的を達成するための本発明の液晶表示装置組立体を構成する面状光源装置、及び、上記の第２の目的を達成するための本発明の面状光源装置は、
（Ａ）底板を備えた筐体、
（Ｂ）底板上に配置され、液晶表示装置を照射する光源、及び、
（Ｃ）間隔を空けて配置された複数の放熱フィン、
を備えており、
各放熱フィンは、
（Ｃ−１）底板の一部が液晶表示装置から離れる方向に折り曲げられて形成され、底板に対して略垂直に延びる第１のフィン部、及び、
（Ｃ−２）第１のフィン部の一部が液晶表示装置から離れる方向に折り曲げられて形成され、底板に対して略平行に延びる第２のフィン部、
から構成されている。
【００１０】
本発明の液晶表示装置組立体を構成する面状光源装置、及び、本発明の面状光源装置にあっては、上述したように底板を備えた筐体、底板上に配置され、液晶表示装置を照射する光源、及び、間隔を空けて配置された複数の放熱フィンを備えている。そして、各放熱フィンは、底板の一部が液晶表示装置から離れる方向に折り曲げられて形成され、底板に対して略垂直に延びる第１のフィン部、及び、第１のフィン部の一部が液晶表示装置から離れる方向に折り曲げられて形成され、底板に対して略平行に延びる第２のフィン部から構成されている。従って、放熱フィンは筐体を構成する底板と一体として構成されているため、独立した部材として筐体等に取り付ける必要がない。また、第２のフィン部は第１のフィン部の一部が液晶表示装置から離れる方向に折り曲げられて形成されているので、第１のフィン部には、第２のフィン部に対応する開口が形成されている。放熱フィンは間隔を空けて配置されており、さらに、第１のフィン部には上述した開口が形成されているので、放熱フィンには、第１のフィン部に平行な方向（例えばＹ方向）と、第１のフィン部に直交する方向（例えばＸ方向）のいずれにも空気の流路が確保され、冷却効率が向上する。更には、第２のフィン部は第１のフィン部の一部が液晶表示装置から離れる方向（即ち、光源から離れる方向）に折り曲げられて形成されている。定性的には、発熱源である光源から離れる程、環境温度は低くなるので、第２のフィン部はより低温な環境下に配置され、冷却効率が向上する。従って、上述した構成の放熱フィンを用いることにより、低コストで良好な放熱特性を得ることができる。第１のフィン部は底板に対して略垂直に延びれば足り、厳密に垂直でなくてもよい。同様に、第２のフィン部は底板に対して略平行に延びれば足り、厳密に平行でなくてもよい。第１のフィン部には、第２のフィン部が１つ形成されていてもよいし、複数形成されていてもよい。第１のフィン部に対する第２のフィン部の折り曲げ方向は特に限定するものではなく、放熱フィンの構造に応じて任意に選択することができる。筐体を構成する底板を構成する材料として、周知の材料を広く用いることができるが、定性的には、熱伝導率の大きな材料から構成されていることが好ましい。例えば、アルミニウム、銅、ステンレス鋼等の金属材料から底板を構成することができる。金属材料を用いる場合には、周知のプレス加工法等により容易に放熱フィンを形成することができる。
【００１１】
以上に説明した各種の好ましい形態、構成を含む本発明の液晶表示装置組立体を構成する面状光源装置、及び、本発明の面状光源装置（以下、これらを総称して、本発明の面状光源装置と呼ぶ場合がある）にあっては、液晶表示装置を照射する光源は底板上に配置されている。光源は、底板に対し直接的に取り付けられている構成であってもよいし、他の部材を介して底板に対し間接的に取り付けられている構成であってもよい。例えば、アルミニウム、銅、ステンレス鋼等の金属材料から成る板状部材の上に光源が取り付けられており、この板状部材が底板上に固定されていてもよい。光源の数は、面状光源装置の大きさや構造等に応じて任意に選択することができる。複数の光源が配置されている構成にあっては、光源は間隔を空けて複数配置されており、各光源は第１のフィン部と底板との境界部分（より具体的には、第１のフィン部と底板との境界部や境界部近傍の底板部分）に配置されている構成とすることもできる。この場合において、各光源の底面（即ち、放熱フィン側の面）は、その全てが底板と対向する構成であってもよいし、その一部が底板と対向する構成であってもよい。各光源を第１のフィン部と底板との境界部分に配置されている構成とすることにより、各光源の発熱は第１のフィン部に効率よく伝達されるので、光源を効率よく冷却することができる。
【００１２】
以上に説明した各種の好ましい形態、構成を含む本発明の面状光源装置にあっては、複数の放熱フィンを囲むカバーが底板に対向して配置されており、カバーには通風孔及び送風手段用の開口部が形成されており、該開口部には送風手段が配置されている構成とすることができる。送風手段用の開口部の形状等はカバーの設計に応じて適宜設定すればよい。送風手段用の開口部は単独の開口から構成されていてもよいし、複数の開口から構成されていてもよい。例えば、複数の通風孔が設けられた領域に送風手段が配置されている場合には、通風手段に対応する領域に設けられている複数の通風孔は、送風手段用の開口部を構成する。送風手段による送風方向は、特に限定するものではない。通風孔は、面状光源装置の大きさや構造、温度分布等に応じて適宜配置すればよい。送風手段として、送風ファン単体、送風ファンとダクトの組合せ等、広く周知の手段を用いることができる。定性的には、送風ファン等の送風手段から離れるほど空気の流量は減少する傾向がある。従って、カバーに形成する通風孔の単位面積あたりの個数を、送風手段からの距離に応じて変化させてもよい。これにより、面状光源装置における温度分布の均一化を図ることができる。定性的には、送風手段から遠い領域では通風孔を密に形成し、送風手段に近い領域では通風孔を疎に形成すればよい。カバーを構成する材料としては、金属材料や合成樹脂材料等、周知の材料を広く用いることができる。例えば、カバーを金属材料から構成する場合には、通風孔や開口部は周知のプレス加工等により形成することができる。また、カバーを合成樹脂材料から構成する場合には、射出成型技術により通風孔や開口部を形成することができる。尚、上記のカバーが、液晶表示装置組立体の外装用の筐体を兼ねる態様であってもよい。例えば、上記のカバーが、液晶表示装置組立体の外装背面カバーを兼ねる態様であってもよい。
【００１３】
以上に説明した各種の好ましい構成、形態を含む本発明の液晶表示装置組立体、及び、本発明の面状光源装置（以下、これらを総称して、単に、本発明と呼ぶ場合がある）にあっては、光源と液晶表示装置の間に、ライトガイドとして機能する導光板が配置されていてもよい。導光板を構成する材料として、光源からの光に対して透明な材料、即ち、光源が射出する光を余り吸収することの無い材料から導光板を作製することが好ましい。具体的には、導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板に、光拡散面や光反射面が設けられていてもよい。光源と対向する導光板の面には、光源からの光を導光板内に好適な角度で入射させるために、凹部が設けられていてもよい。凹部の形状として、角錐、円錐、円柱、三角柱や四角柱を含む多角柱、球の一部、回転楕円体の一部、回転放物線体の一部、回転双曲線体の一部といった各種の滑らかな曲面を例示することができる。導光板は、単一の部材から構成されていてもよいし、複数の部材が例えばタイル状に配置されて構成されていてもよい。
【００１４】
本発明にあっては、面状光源装置を構成する光源として、冷陰極線型の蛍光ランプ、冷陰極線型の蛍光ランプ、発光ダイオード（ＬＥＤ：Light Emitting Diode）等、広く周知の光源を用いることができる。蛍光ランプの形状は、直線状（直管状）、「Ｕ」字状、連続した「Ｕ」字状、「Ｓ」字状、連続した「Ｓ」字状、「Ｗ」字状等、蛍光ランプに要求される仕様に基づき決定すればよい。また、光源の発光色は、面状光源装置に要求される仕様に基づき決定すればよい。例えば、面状光源装置の発光色を白色とする場合、光源を、白色蛍光体が塗られた蛍光ランプ、白色発光ダイオード（例えば、紫外又は青色発光ダイオードと蛍光体粒子とを組み合わせて白色を発光する発光ダイオード）、又は、赤色（例えば、波長６４０ｎｍ）を発光する赤色発光ダイオード、緑色（例えば、波長５３０ｎｍ）を発光する緑色発光ダイオード、及び、青色（例えば、波長４５０ｎｍ）を発光する青色発光ダイオードのから成る発光ダイオード群等から構成することができる。尚、赤色、緑色、青色以外の第４番目の色を発光する発光ダイオードを更に備えていてもよい。発光ダイオードから成る光源は占有体積も小さく、複数の光源を配置するのに好適である。光源の駆動条件は特に限定するものではない。例えば、全ての光源が一定の駆動条件で常時発光する構成であってもよいし、面状光源装置の光が射出される面を複数の領域に分割し、各領域に対応する光源の発光量が個別に制御される構成であってもよい。
【００１５】
光源を構成する発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に射出される構造としてもよいし、発光層からの光が基板を通過して外部に射出される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。ランバーシアン方式のように、直進方向への光強度が強いレンズを発光ダイオードの光射出部分に取り付けてもよい。あるいは又、発光ダイオードに光取出しレンズを取り付けた発光ダイオード組立体を光源として使用し、発光ダイオードから射出された光が、光取出しレンズの頂面において全反射され、光取出しレンズの水平方向に主に射出される２次元方向射出構成を挙げることができる。このような構成は、例えば、日経エレクトロニクス  ２００４年１２月２０日第８８９号の第１２８ページに開示されている。
【００１６】
本発明にあっては、拡散板；拡散シート、プリズムシート、偏光変換シートといった光学機能シート群；反射シート等を介して、面状光源装置の光が照射される態様であってもよい。拡散板、拡散シート、プリズムシート、偏光変換シート、反射シートとして、広く周知の材料を用いることができる。光学機能シート群は、離間配置された各種シートから構成されていてもよいし、積層され一体として構成されていてもよい。例えば、拡散シート、プリズムシート、偏光変換シート等が積層され一体となっていてもよい。
【００１７】
本発明に用いられる液晶表示装置は、モノクロ液晶表示装置であってもよいし、カラー液晶表示装置であってもよい。液晶表示装置は、例えば、透明第１電極を備えたフロント・パネル、透明第２電極を備えたリア・パネル、及び、フロント・パネルとリア・パネルとの間に配された液晶材料から成る。
【００１８】
ここで、フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、カラー液晶表示装置では、フロント・パネルは、第１の基板の内面に、アクリル系樹脂やエポキシ系樹脂から成るオーバーコート層によって被覆されたカラーフィルターが設けられ、オーバーコート層上に透明第１電極が形成された構成を有している。透明第１電極上には配向膜が形成されている。カラーフィルターの配置パターンとして、デルタ配列、ストライプ配列、ダイアゴナル配列、レクタングル配列を挙げることができる。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００１９】
尚、カラー液晶表示装置では、透明第１電極と透明第２電極の重複領域であって液晶セルを含む領域が１副画素（サブピクセル）に該当する。そして、各画素（ピクセル）を構成する赤色発光副画素は、係る領域と赤色を透過するカラーフィルターとの組合せから構成され、緑色発光副画素は、係る領域と緑色を透過するカラーフィルターとの組合せから構成され、青色発光副画素は、係る領域と青色を透過するカラーフィルターとの組合せから構成されている。赤色発光副画素、緑色発光副画素及び青色発光副画素に配置パターンは、上述したカラーフィルターの配置パターンと一致する。
【００２０】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００２１】
液晶表示装置及び面状光源装置を駆動するための駆動回路は、例えば、パルス幅変調（ＰＷＭ）信号発生回路、デューティ比制御回路、発光ダイオード（ＬＥＤ）駆動回路、演算回路、記憶装置（メモリ）等から構成された面状光源装置制御回路、及び、タイミングコントローラ等の周知の回路から構成された液晶表示装置駆動回路を備えている。尚、駆動回路に電気信号として１秒間に送られる画像情報の数（毎秒画像）がフレーム周波数（フレームレート）であり、フレーム周波数の逆数がフレーム時間（単位：秒）である。
【発明の効果】
【００２２】
本発明の液晶表示装置組立体を構成する面状光源装置、及び、本発明の面状光源装置にあっては、放熱フィンは筐体を構成する底板と一体として構成されているため、独立した部材として筐体等に取り付ける必要がない。また、第１のフィン部に平行な方向と直交する方向のいずれにも空気の流路が確保され、冷却効率が向上する。更には、第２のフィン部は第１のフィン部の一部が液晶表示装置から離れる方向に折り曲げられて形成されているので、第２のフィン部をより低温側に設けることができる。これにより、低コストで良好な放熱特性を得ることができる面状光源装置を備え画像品質に優れた液晶表示装置組立体、及び、低コストで良好な放熱特性を得ることができ、輝度むらや色むらが抑制された面状光源装置を得ることができる。
【発明を実施するための最良の形態】
【００２３】
以下、図面を参照して、実施例に基づき本発明を説明する。
【実施例】
【００２４】
実施例は、本発明の液晶表示装置組立体、及び、本発明の面状光源装置に関する。図１の（Ａ）は、実施例の液晶表示装置組立体１００及び面状光源装置６０の模式的な概念図である。図１の（Ｂ）は、実施例の液晶表示装置組立体１００及び面状光源装置６０の模式的な一部断面図である。尚、図１の（Ｂ）においては、液晶表示装置１０、拡散板２０のハッチングを省略した。図２は、液晶表示装置組立体１００及び面状光源装置６０を分解したときの模式的な分解斜視図である。尚、図２においては、便宜のため送風手段８０の図示を省略した。
【００２５】
実施例の液晶表示装置組立体１００は、
（ａ）液晶表示装置１０、及び、
（ｂ）液晶表示装置を背面から照射する面状光源装置６０、
を備えている。
【００２６】
そして、実施例の面状光源装置６０は、
（Ａ）底板５１を備えた筐体５０、
（Ｂ）底板５１上に配置され、液晶表示装置１０を照射する光源４０、及び、
（Ｃ）間隔を空けて配置された複数の放熱フィン５３、
を備えており、
各放熱フィン５３は、
（Ｃ−１）底板５１の一部が液晶表示装置１０から離れる方向に折り曲げられて形成され、底板５１に対して略垂直に延びる第１のフィン部５３Ａ、及び、
（Ｃ−２）第１のフィン部５３Ａの一部が液晶表示装置１０から離れる方向に折り曲げられて形成され、底板５１に対して略平行に延びる第２のフィン部５３Ｂ、
から構成されている。
【００２７】
先ず、図１及び図２を参照して、面状光源装置６０を備える液晶表示装置組立体１００の基本的な構成及び動作について説明する。
【００２８】
液晶表示装置１０は透過型のカラー液晶表示装置であり、透明第１電極を備えたフロント・パネル、透明第２電極を備えたリア・パネル、及び、フロント・パネルとリア・パネルとの間に配された液晶材料から成る。尚、これらの透過型のカラー液晶表示装置を構成する各種の部材や、液晶材料は、周知の部材、材料から構成することができるので、詳細な説明は省略する。
【００２９】
面状光源装置６０は、直下型の面状光源装置であって、筐体５０と光源４０を備えている。実施例では、筐体５０は底板５１と側板５２とから成り、液晶表示装置１０側が開放した箱状である。厚さ約２ｍｍのアルミニウム板を折り曲げることにより、底板５１と側板５２とを一体として筐体５０を構成したが、これに限るものではない。
【００３０】
実施例においては、光源４０として白色発光ダイオードを用いた。光源４０は、筐体５０を構成する底板５１上に配置されている。より具体的には、光源４０は間隔を空けて複数配置されている。また、各光源４０は第１のフィン部５３Ａと底板５１との境界部分に配置されている。各光源４０の底面（即ち、放熱フィン側の面）は、その全てが底板と対向するように配置したが、これに限るものではない。実施例では、図１の（Ａ）に示すように、光源４０をＸ方向及びＹ方向に所定の間隔（実施例では約３０ｍｍ間隔）で、１５×９個（Ｘ方向に１列１５個、Ｙ方向に１列９個）配置したが、これに限るものではない。光源の配置間隔、光源の個数等は、面状光源装置の仕様に応じて適宜設定すればよい。
【００３１】
実施例にあっては、各光源４０は例えば厚さ約１ｍｍのアルミニウム板から成る矩形状の板状部材３０上に、Ｘ方向及びＹ方向に約３０ｍｍ間隔で取り付けられている。そして、各光源４０が第１のフィン部５３Ａと底板５１との境界部分に配置されるように位置決めされた状態で、例えばネジ等により、底板５１上に板状部材３０が取り付けられている。放熱フィン５３の詳細、放熱フィン５３と光源４０との位置関係の詳細については、後述する。尚、底板５１には、後述するように放熱フィン５３の形成に伴って開口５４Ａが形成されているが、板状部材３０によって上記の開口５４Ａは塞がれる。従って、筐体５０の背面側（図において−Ｚ方向）へ不要な光漏れが生ずることはない。
【００３２】
実施例にあっては、複数の放熱フィン５３を囲むカバー７０が底板５１に対向して配置されている。カバーには通風孔７３，７４及び送風手段用の開口部７５が形成されている。カバー７０は例えば厚さ約０．３ｍｍのステンレス鋼板から成り、カバー７０の底部７１と側部７２は一体で構成されている。カバー７０の底部７１には通風孔７３が、側部７２には通風孔７４が形成されている。また、カバー７０の底部には、開口部７５が２箇所形成されている。そして、各開口部７５には例えばファンから成る送風手段８０が配置されている。実施例にあっては、各送風手段８０の送風方向をカバー７０と底板５１との間を排気する方向としたが、これに限るものではない。また、送風手段８０をカバー７０と底板５１との間に配置した構成であってもよい。
【００３３】
実施例においては、各光源４０として白色発光ダイオードを用いたが、各光源を赤色発光ダイオード、緑色発光ダイオード、及び、青色発光ダイオードから成る発光ダイオード群から構成してもよい。図示せぬ面状光源装置制御回路によって、例えば各光源４０に一律の電圧が印加され、光が出射される。液晶表示装置１０と面状光源装置６０との間には、透過する光を拡散する拡散板２０が配置されている。面状光源装置６０から出射した光は拡散板２０によって拡散され、液晶表示装置１０に照射される。照射される光の均一化を図るために、例えば白色塗料が側板５２上や板状部材３０上に塗布されていてもよい。また、実施例においては光源４０と拡散板２０との間は空間としたが、光源４０と拡散板２０との間にライトガイドとして機能する導光板が配置されていてもよい。
【００３４】
尚、液晶表示装置１０及び拡散板２０は、例えば図示せぬフレーム等により保持されている。拡散板２０は、光源４０から約３０ｍｍ離間した位置に保持されている。
【００３５】
また、図示せぬ液晶表示装置駆動回路によって、表示すべき画像の明るさに応じて液晶表示装置１０の画素を構成する液晶セルの光透過率が制御される。そして、液晶表示装置１０を透過する光によって、所定の画像が表示される。
【００３６】
以上、面状光源装置６０を備える液晶表示装置組立体１００の基本的な構成及び動作について説明した。次いで、図３及び図４を参照して、放熱フィン５３の詳細、放熱フィン５３と光源４０との位置関係の詳細について説明する。
【００３７】
図３は放熱フィン５３が形成された筐体５０の一部分の模式的な斜視図である。図４の（Ａ）は、筐体５０の底板５１の一部分の模式的な平面図である。図４の（Ｂ）は、図４の（Ａ）を矢印Ａの方向から見たときの模式的な断面図である。図４の（Ｃ）は、図４の（Ａ）を矢印Ｂの方向から見たときの模式的な断面図である。
【００３８】
図３、及び、図４の（Ａ）〜（Ｃ）に示すように、筐体５０には、筐体５０を構成する底板５１の一部が折り曲げられることにより、放熱フィン５３が複数形成されている。各放熱フィン５３は、第１のフィン部５３Ａと、第２のフィン部５３Ｂとから成る。実施例では、放熱フィン５３を構成する第１のフィン部５３Ａは図のＹ方向に沿って配置されており、Ｙ方向の幅は約４０ｍｍである。各放熱フィン５３は間隔を空けて配置されている。具体的には、第１のフィン部５３Ａと隣接する第１のフィン部５３Ａとは、Ｘ方向に約２８ｍｍの間隔を空けて配置されている。また、図のＹ方向には約２０ｍｍの間隔を空けて配置されている。
【００３９】
第１のフィン部５３Ａは、底板５１の一部が液晶表示装置１０から離れる方向に（換言すれば、光源４０から離れる方向に）折り曲げられて形成されており、底板５１に対して略垂直に延びている。尚、底板５１には、第１のフィン部５３Ａに対応する開口５４Ａが形成されている。尚、実施例では、第１のフィン部５３ＡのＺ方向の幅を約１５ｍｍとしたが、これに限るものではない。
【００４０】
第２のフィン部５３Ｂは、第１のフィン部５３Ａの一部が液晶表示装置１０から離れる方向に（換言すれば、光源４０から離れる方向に）折り曲げられて形成されており、底板５１に対して略平行に延びている。実施例では、第１のフィン部５３Ａの中央部を折り曲げて、第２のフィン部５３Ｂを形成した。第２のフィン部５３Ｂは、図の＋Ｘ方向に伸びるように折り曲げられている。尚、第１のフィン部５３Ａには、第２のフィン部５３Ｂに対応する開口５４Ｂが形成されている。尚、実施例では、第２のフィン部５３ＢのＹ方向の幅を約２０ｍｍ、Ｘ方向の幅を約１０ｍｍとしたが、これに限るものではない。
【００４１】
各光源４０は第１のフィン部５３Ａと底板５１との境界部分に配置されている。具体的には、図４に示すように、各放熱フィン５３には２つの光源４０が配置されており、各光源４０は第１のフィン部５３Ａの脚部と底板５１との境界部分に対応して配置されている。第１のフィン部５３Ａの脚部に対応して光源４０が配置されているので、光源４０の発熱を放熱フィン５３に効率よく伝えることができる。
【００４２】
上述した構成によれば、放熱フィン５３は筐体５０を構成する底板５１と一体として構成されている。従って、放熱フィン５３を独立した部材として底板５１に取り付ける必要がない。第２のフィン部５３Ｂは、発熱源である光源４０から離れる方向に折り曲げられて形成されているので、第２のフィン部５３Ｂはより低温側に配置され、冷却効率が向上する。また、第１のフィン部５３Ａには、第２のフィン部５３Ｂに対応する開口５４Ｂが形成されている。放熱フィン５３は間隔を空けて配置されており、第１のフィン部５３Ａには上述した開口５４Ｂが形成されているので、放熱フィン５３には、第１のフィン部５３Ａに平行な方向（図ではＹ方向）と、第１のフィン部５３Ａに直交する方向（図ではＸ方向）のいずれにも空気の流路が確保され、放熱フィン５３の熱が効果的に排熱される。これにより、低コストで良好な放熱特性を得ることができる。
【００４３】
以上、実施例の液晶表示装置組立体１００及び面状光源装置６０について説明したが、放熱フィン５３の変形例について簡単に説明する。
【００４４】
図５の（Ａ）〜（Ｃ）を参照して、第１の変形例について説明する。図５の（Ａ）は、第１の変形例における筐体５０の底板５１の一部分の模式的な平面図である。図５の（Ｂ）は、図５の（Ａ）を矢印Ａの方向から見たときの模式的な断面図である。図５の（Ｃ）は、図５の（Ａ）を矢印Ｂの方向から見たときの模式的な断面図である。後述する他の変形例の図面においても同様である。第１の変形例は、図４に対し、第２のフィン５３Ｂが図の−Ｘ方向に伸びるように折り曲げられている点が相違する。
【００４５】
図６の（Ａ）〜（Ｃ）を参照して、第２の変形例について説明する。第２の変形例では、各光源４０にそれぞれ１つの放熱フィン５３が対応している。第２のフィン部５３Ｂは、第１のフィン部５３Ａの片側（−Ｙ方向側）の一部が折り曲げられて形成されている。
【００４６】
図７の（Ａ）〜（Ｃ）を参照して、第３の変形例について説明する。第３の変形例は、図６に対し、各放熱フィン５３には第２のフィン部５３Ｂが複数形成されている点が相違する。具体的には、第１のフィン部５３Ａは略Ｔ字状であり、各第２のフィン部５３Ｂは、第１のフィン部の脚部を挟んで対称となるように形成されている。第３の変形例では、光源４０と第２のフィン部５３Ｂまでの経路の距離（より具体的には、光源４０による発熱が、第１のフィン部５３Ａを伝わって第２のフィン部５３Ｂに至るまでの経路の距離）は、第２の変形例に対してより短いものとすることができる。従って、光源４０の発熱を、より効率的に第２のフィン部５３Ｂに伝えることができる。
【００４７】
図８の（Ａ）〜（Ｃ）を参照して、第４の変形例について説明する。第４の変形例では、各放熱フィン５３に対応して３つの光源４０が配置されている。図４に示した実施例では、２つの光源４０に対して１つの第２のフィン部５３Ｂが対応している。一方、図８に示す第４の変形例では、３つの光源４０に対して２つの第２のフィン部５３Ｂが対応している。また、第１のフィン部５３Ａの面積も、図４に示した実施例よりも広くなる。従って、第４の変形例では、図４に示した実施例に対し、各光源４０に対応する放熱フィン５３の表面積が広くなり、冷却効率をより高めることができる。
【００４８】
図９の（Ａ）〜（Ｃ）を参照して、第５の変形例について説明する。第５の変形例は第４の変形例の発展形であり、各放熱フィン５３はＹ方向に連続して形成されている。第４の変形例で説明したと同様の理由により、各光源４０に対応する放熱フィン５３の表面積が広くなり、冷却効率を高めることができる。
【００４９】
以上、本発明を好ましい実施例に基づき説明したが、本発明はこれらの実施例に限定されるものではない。実施例にて説明した液晶表示装置組立体、面状光源装置、液晶表示装置、光源等の構成、構造は例示であり、適宜変更することができる。
【００５０】
実施例等においては放熱フィン５３を構成する第１のフィン部５３ＡをＹ方向に沿って配置したが、これに限定するものではない。また、必ずしも全ての放熱フィン５３（より具体的には、放熱フィン５３を構成する第１のフィン部５３Ａ）が同方向に沿って配置されていることを要しない。例えば放熱フィン５３を千鳥状に配置してもよい。光源４０の配置についても同様である。
【００５１】
実施例にあっては、光源を発光ダイオード（ＬＥＤ）から成るものとした。通常、発光ダイオードの発光効率には、ある程度のばらつきが存在する。また、発光ダイオードの発光効率は、通常温度が高くなると低下する傾向がある。また、面状光源装置全体を厳密に均一の温度に保つことは困難であり、設計上ある程度の温度分布のばらつきが存在する。従って、発光ダイオード（ＬＥＤ）を発光効率に基づいて区分しておき、面状光源装置において設計上温度が高い領域には発光効率が高い発光ダイオード（ＬＥＤ）を配置し、設計上温度が低い領域には発光効率が低い発光ダイオード（ＬＥＤ）を配置することにより、面状光源装置の輝度の均一性をより向上させることができる。
【図面の簡単な説明】
【００５２】
【図１】図１の（Ａ）は、実施例の液晶表示装置組立体１００及び面状光源装置６０の模式的な概念図である。図１の（Ｂ）は、実施例の液晶表示装置組立体１００及び面状光源装置６０の模式的な一部断面図である。
【図２】図２は、液晶表示装置組立体１００及び面状光源装置６０を分解したときの模式的な分解斜視図である。
【図３】図３は、放熱フィン５３が形成された筐体５０の一部分の模式的な斜視図である。
【図４】図４の（Ａ）は、筐体５０の底板５１の一部分の模式的な平面図である。図４の（Ｂ）は、図４の（Ａ）を矢印Ａの方向から見たときの模式的な断面図である。図４の（Ｃ）は、図４の（Ａ）を矢印Ｂの方向から見たときの模式的な断面図である。
【図５】図５の（Ａ）は、第１の変形例における筐体５０の底板５１の一部分の模式的な平面図である。図５の（Ｂ）は、図５の（Ａ）を矢印Ａの方向からみたときの模式的な断面図である。図５の（Ｃ）は、図５の（Ａ）を矢印Ｂの方向から見たときの模式的な断面図である。
【図６】図６の（Ａ）は、第２の変形例における筐体５０の底板５１の一部分の模式的な平面図である。図６の（Ｂ）は、図６の（Ａ）を矢印Ａの方向から見たときの模式的な断面図である。図６の（Ｃ）は、図６の（Ａ）を矢印Ｂの方向から見たときの模式的な断面図である。
【図７】図７の（Ａ）は、第３の変形例における筐体５０の底板５１の一部分の模式的な平面図である。図７の（Ｂ）は、図７の（Ａ）を矢印Ａの方向から見たときの模式的な断面図である。図７の（Ｃ）は、図７の（Ａ）を矢印Ｂの方向から見たときの模式的な断面図である。
【図８】図８の（Ａ）は、第４の変形例における筐体５０の底板５１の一部分の模式的な平面図である。図８の（Ｂ）は、図８の（Ａ）を矢印Ａの方向から見たときの模式的な断面図である。図８の（Ｃ）は、図８の（Ａ）を矢印Ｂの方向から見たときの模式的な断面図である。
【図９】図９の（Ａ）は、第５の変形例における筐体５０の底板５１の一部分の模式的な平面図である。図９の（Ｂ）は、図９の（Ａ）を矢印Ａの方向から見たときの模式的な断面図である。図９の（Ｃ）は、図９の（Ａ）を矢印Ｂの方向から見たときの模式的な断面図である。
【符号の説明】
【００５３】
１０・・・液晶表示装置、２０・・・拡散板、３０・・・板状部材、４０・・・光源、５０・・・筐体、５１・・・底板、５２・・・側板、５３・・・放熱フィン、５３Ａ・・・第１のフィン部、５３Ｂ・・・第２のフィン部、５４Ａ，５４Ｂ・・・開口、６０・・・面状光源装置、７０・・・カバー、７１・・・底部、７２・・・側部、７３，７４・・・通風孔、７５・・・開口部、８０・・・送風手段、１００・・・液晶表示装置組立体
【図１】
2007322905.tif 000003
【図２】
2007322905.tif 000004
【図３】
2007322905.tif 000005
【図４】
2007322905.tif 000006
【図５】
2007322905.tif 000007
【図６】
2007322905.tif 000008
【図７】
2007322905.tif 000009
【図８】
2007322905.tif 000010
【図９】
2007322905.tif 000011